(57)【要約】【課題】コルゲートチューブの保持性能の向上を図ったコルゲートチューブ付きコネクタを提供する。【解決手段】コネクタハウジング２Ａには、内部に端子３が収容される端子収容室２１Ａが形成されている。端子３に接続されてコネクタハウジング２Ａから引き出された電線６が収容される筒状のカバー４Ａが、コネクタハウジング２Ａに取り付けられる。コルゲートチューブ５が、カバー４Ａに取り付けられ、カバー４Ａから引き出された電線６が収容される。カバー４Ａの内周面に第１ねじ切りＮ１が設けられる。コルゲートチューブ５の外周面に第２ねじ切りＮ２が設けられる。第１ねじ切りＮ１及び第２ねじ切りＮ２同士を螺合させることにより、コルゲートチューブ５をカバー４Ａに取り付ける。【選択図】図３
2020202073.tif 000002
【特許請求の範囲】
【請求項１】
内部に端子が収容される端子収容室が形成されたコネクタハウジングと、
前記コネクタハウジングに取り付けられ、前記端子に接続されて前記コネクタハウジングから引き出された電線が収容される筒状の連結部材と、
前記連結部材に取り付けられ、前記連結部材から引き出された前記電線が収容されるコルゲートチューブと、を備え、
前記連結部材に第１ねじ切りが設けられ、
前記コルゲートチューブに第２ねじ切りが設けられ、
前記連結部材及び前記コルゲートチューブの一方に他方を挿入して前記第１ねじ切り及び前記第２ねじ切りを螺合させることにより、前記コルゲートチューブを前記連結部材に取り付ける、
コルゲートチューブ付きコネクタ。
【請求項２】
請求項１に記載のコルゲートチューブ付きコネクタであって、
前記コネクタハウジングは、前記端子収容室が形成されたハウジング本体と、前記ハウジング本体に設けた前記電線の引出口の周縁から突出された筒状の取付部と、が一体に形成され、
前記連結部材に第３ねじ切りが設けられ、
前記取付部に第４ねじ切りが設けられ、
前記連結部材及び前記取付部の一方に他方を挿入して前記第３ねじ切り及び前記第４ねじ切りを螺合させることにより、前記連結部材を前記コネクタハウジングに取り付ける、
コルゲートチューブ付きコネクタ。
【請求項３】
請求項１に記載のコルゲートチューブ付きコネクタであって、
前記連結部材は、前記コネクタハウジングに係止して取り付けられている、
コルゲートチューブ付きコネクタ。
【発明の詳細な説明】
【技術分野】
【０００１】
本発明は、コルゲートチューブ付きコネクタ、に関する。
【背景技術】
【０００２】
コネクタから引き出され、車両に配索される電線には、当該電線の保護等を目的として、その周囲にコルゲートチューブが取り付けられる（例えば特許文献１）。このコルゲートチューブがコネクタに取り付けられ、上記コルゲートチューブ付きコネクタとなる。従来、コルゲートチューブとコネクタとの取り付けは、両者に係止されるカバー（連結部材）を用いて行われている。
【先行技術文献】
【特許文献】
【０００３】
【特許文献１】特開平７−１３５７１５号公報
【発明の概要】
【発明が解決しようとする課題】
【０００４】
従来のコルゲートチューブ付きコネクタは、上述したようにカバーにコルゲートチューブを係止しているので、荷重が発生した場合にカバーからコルゲートチューブが外れてしまう恐れがあった。
【０００５】
本発明は、上述した事情に鑑みてなされたものであり、その目的は、コルゲートチューブの保持性能の向上を図ったコルゲートチューブ付きコネクタを提供することにある。
【課題を解決するための手段】
【０００６】
前述した目的を達成するために、本発明に係るコルゲートチューブ付きコネクタは、下記［１］〜［３］を特徴としている。
［１］
内部に端子が収容される端子収容室が形成されたコネクタハウジングと、
前記コネクタハウジングに取り付けられ、前記端子に接続されて前記コネクタハウジングから引き出された電線が収容される筒状の連結部材と、
前記連結部材に取り付けられ、前記連結部材から引き出された前記電線が収容されるコルゲートチューブと、を備え、
前記連結部材に第１ねじ切りが設けられ、
前記コルゲートチューブに第２ねじ切りが設けられ、
前記連結部材及び前記コルゲートチューブの一方に他方を挿入して前記第１ねじ切り及び前記第２ねじ切りを螺合させることにより、前記コルゲートチューブを前記連結部材に取り付ける、
コルゲートチューブ付きコネクタであること。
［２］
［１］に記載のコルゲートチューブ付きコネクタであって、
前記コネクタハウジングは、前記端子収容室が形成されたハウジング本体と、前記ハウジング本体に設けた前記電線の引出口の周縁から突出された筒状の取付部と、が一体に形成され、
前記連結部材に第３ねじ切りが設けられ、
前記取付部に第４ねじ切りが設けられ、
前記連結部材及び前記取付部の一方に他方を挿入して前記第３ねじ切り及び前記第４ねじ切りを螺合させることにより、前記連結部材を前記コネクタハウジングに取り付ける、
コルゲートチューブ付きコネクタであること。
［３］
［１］に記載のコルゲートチューブ付きコネクタであって、
前記連結部材は、前記コネクタハウジングに係止して取り付けられている、
コルゲートチューブ付きコネクタであること。
【０００７】
上記［１］の構成のコルゲートチューブ付きコネクタによれば、連結部材及びコルゲートチューブに設けた第１、第２ねじ切りを螺合させることにより、コルゲートチューブを連結部材に取り付ける。よって、コルゲートチューブの保持性能の向上を図ることができる。
【０００８】
上記［２］の構成のコルゲートチューブ付きコネクタによれば、取付部及び連結部材に設けた第３、第４ねじ切りを螺合させることにより、連結部材をコネクタハウジングに取り付ける。これにより、連結部材に係止部を設ける必要がないため、連結部材の小型化を図ることができる。
【０００９】
上記［３］の構成のコルゲートチューブ付きコネクタによれば、連結部材をコネクタハウジングに係止するので、コネクタハウジングにねじ切りを設ける必要がなく、コネクタハウジングの形状を簡素化することができる。
【発明の効果】
【００１０】
本発明によれば、連結部材及びコルゲートチューブに設けたねじ切り同士を螺合させることにより、コルゲートチューブを連結部材に取り付ける。よって、コルゲートチューブの保持性能の向上を図ることができるコルゲートチューブ付きコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、第１実施形態における本発明のコルゲートチューブ付きコネクタの側面図である。
【図２】図２は、図１に示すコルゲートチューブ付きコネクタの分解側面図である。
【図３】図３は、図１に示すコルゲートチューブ付きコネクタの断面図である。
【図４】図４は、図１に示すカバーの断面図である。
【図５】図５は、第２実施形態における本発明のコルゲートチューブ付きコネクタの側面図である。
【図６】図６は、図５に示すコルゲートチューブ付きコネクタの断面図である。
【図７】図７は、図５に示すカバーの断面図である。
【発明を実施するための形態】
【００１３】
本発明に関する具体的な実施形態について、各図を参照しながら以下に説明する。
【００１４】
（第１実施形態）
まず、第１実施形態におけるコルゲートチューブ付きコネクタ１について図１〜図４を参照して説明する。図１は、第１実施形態における本発明のコルゲートチューブ付きコネクタ１の側面図である。図２は、図１に示すコルゲートチューブ付きコネクタ１の分解側面図である。図３は、図１に示すコルゲートチューブ付きコネクタ１の断面図である。なお、図面を簡素化するため、図３において端子３及び電線６については側面図としている。図４は、図１に示すカバー４Ａの断面図である。
【００１５】
図１などに示すように、コルゲートチューブ付きコネクタ１は、コネクタハウジング２Ａと、端子３（図３）と、連結部材としてのカバー４Ａと、コルゲートチューブ５と、を備えている。コネクタハウジング２Ａは、合成樹脂から構成され、図３に示すように、内部に端子３が収容される端子収容室２１Ａが形成されている。上記端子３は、電線６の端末に加締め付けて接続される端子金具である。
【００１６】
なお、本実施形態では、説明を簡単にするために１つの端子収容室２１Ａを設けた例について説明するが、これに限ったものではない。端子収容室２１Ａは、複数設けられていてもよい。また、以下、図中の左右方向を電線６の長手方向Ｄ１とし、長手方向Ｄ１において図中左側を前側、図中左側を後側として説明する。
【００１７】
コネクタハウジング２Ａは、端子収容室２１Ａが形成されたハウジング本体２２Ａと、ハウジング本体２２Ａに設けた電線６の引出口２２１Ａの周縁から突出された筒状の取付部２３Ａと、が樹脂により一体形成されている。ハウジング本体２２Ａは、四角筒状に形成された周壁２２２Ａと、周壁２２２Ａの後端側開口を覆う後端壁２２３Ａと、を有している。周壁２２２Ａの前端側の開口から相手端子が挿入され、端子３と接続できるようになっている。また、後端壁２２３Ａには、引出口２２１Ａが設けられている。端子収容室２１Ａ内の端子３に接続された電線６は、この引出口２２１Ａと上記筒状の取付部２３Ａ内を通ってコネクタハウジング２Ａ外に引き出される。上記取付部２３Ａの外周面には第４ねじ切りＮ４が設けられている。
【００１８】
カバー４Ａは、合成樹脂から構成され、電線６の長手方向Ｄ１に沿って貫通する貫通孔４１Ａが設けられた筒状に形成されている。この貫通孔４１Ａに、コネクタハウジング２Ａから引き出された電線６が収容される。貫通孔４１Ａは、コネクタハウジング２Ａの取付部２３Ａが挿入されるハウジング挿入孔４１１Ａと、コルゲートチューブ５が挿入されるコルゲート挿入孔４１２Ａと、を有している。ハウジング挿入孔４１１Ａと、コルゲート挿入孔４１２Ａと、は互いに連結されている。ハウジング挿入孔４１１Ａは、カバー４Ａの前側に設けられ、前側が開口し、後側がコルゲート挿入孔４１２Ａに連なっている。コルゲート挿入孔４１２Ａは、カバー４Ａの後側に設けられ、後側が開口し、前側がハウジング挿入孔４１１Ａに連なっている。
【００１９】
上記ハウジング挿入孔４１１Ａの前側開口からコネクタハウジング２Ａの取付部２３Ａが挿入され、コルゲート挿入孔４１２Ａの後側開口からコルゲートチューブ５の一端が挿入される。図４に示すように、カバー４Ａのハウジング挿入孔４１１Ａの内周面には、取付部２３Ａの外周に設けた第４ねじ切りＮ４に螺合される第３ねじ切りＮ３が設けられている。また、カバー４Ａのコルゲート挿入孔４１２Ａの内周面には、コルゲートチューブ５の外周面に設けた第２ねじ切りＮ２が螺合される第１ねじ切りＮ１が設けられている。
【００２０】
本実施形態では、取付部２３Ａに設けた第４ねじ切りＮ４と、コルゲートチューブ５に設けた第２ねじ切りＮ２と、は同じ方向、同じ大きさ、同じピッチに設けられている。このため、カバー４Ａに設けた第１ねじ切りＮ１及び第３ねじ切りＮ３も、おなじ方向、同じ大きさ、同じピッチに設けられている。
【００２１】
コルゲートチューブ５は、図３等に示すように、合成樹脂から構成され、カバー４Ａから引き出された電線６が収容される筒状に設けられている。コルゲートチューブ５は、山部５１と、谷部５２と、を長手方向Ｄ１に沿って交互に設けて蛇腹状に形成することにより、湾曲可能に設けられている。また、上記山部５１と谷部５２とが螺旋状に連続するように形成されることにより、コルゲートチューブ５の外周面に第２ねじ切りＮを設けることができる。また、コルゲートチューブ５には、図２に示すように、長手方向Ｄ１一端から他端に亘って電線６を挿入するためのスリットＳＬが形成されている。
【００２２】
次に、上述した構成のコルゲートチューブ付きコネクタ１の組立手順について説明する。まず、電線６をカバー４Ａの貫通孔４１Ａ及びコネクタハウジング２Ａの取付部２３Ａに通した状態で、電線６の端末を端子３に接続する。その後、端子３を後ろ側に引っ張り、端子収容室２１Ａに収容する。また、コルゲートチューブ５のスリットＳＬから電線６を内部に挿入する。次に、コネクタハウジング２Ａの取付部２３Ａをカバー４Ａのハウジング挿入孔４１１Ａの前側開口から挿入して回転させ、第３ねじ切りＮ３、第４ねじ切りＮ４を螺合させる。また、コルゲートチューブ５の端末をカバー４Ａのコルゲート挿入孔４１２Ａの後側開口から挿入して回転させ、第１ねじ切りＮ１、第２ねじ切りＮ２を螺合させて、組み立て完成させる。
【００２３】
上述した実施形態によれば、カバー４Ａ及びコルゲートチューブ５に設けた第１ねじ切りＮ１、第２ねじ切りＮ２を螺合させることにより、コルゲートチューブ５をカバー４Ａに取り付ける。よって、コルゲートチューブ５の保持性能の向上を図ることができる。
【００２４】
また、上述した実施形態によれば、取付部２３Ａ及びカバー４Ａに設けた第３ねじ切りＮ３、第４ねじ切りＮ４を螺合させることにより、カバー４Ａをコネクタハウジング２Ａに取り付ける。これにより、カバー４Ａに係止部を設ける必要がないため、カバー４Ａの小型化を図ることができる。
【００２５】
（第２実施形態）
次に、第２実施形態におけるコルゲートチューブ付きコネクタ１を図５〜図７を参照して説明する。図５は、第２実施形態における本発明のコルゲートチューブ付きコネクタ１の側面図である。図６は、図５に示すコルゲートチューブ付きコネクタ１の断面図である。図７は、図５に示すカバーの断面図である。なお、同図において、上述した第１実施形態で既に説明した図１〜図４に示すコルゲートチューブ付きコネクタ１と部分と同等の部分については同一符号を付してその詳細な説明を省略する。
【００２６】
図５等に示すように、コルゲートチューブ付きコネクタ１は、コネクタハウジング２Ｂと、端子３（図６）と、カバー４Ｂと、コルゲートチューブ５と、を備えている。コネクタハウジング２Ｂは、第１実施形態と同様に、内部に端子収容室２１Ｂが形成されている。また、コネクタハウジング２Ｂは、四角筒状に形成された周壁２２Ｂと、周壁２２Ｂの後端側開口を覆う後端壁２３Ｂと、を有している。周壁２２Ｂの前端側の開口から相手端子が挿入されて、端子３と接続できるようになっている。周壁２２Ｂには、後述するカバー４Ｂを係止する係止溝などの係止部（図示せず）が形成されている。また、後端壁２３Ｂには、引出口２４Ｂが設けられている。端子収容室２１Ｂ内の端子３に接続された電線６は、この引出口２４Ｂを通ってコネクタハウジング２Ｂ外に引き出される。
【００２７】
カバー４Ｂは、図６に示すように、合成樹脂から構成され、コネクタハウジング２Ｂに取り付けられ、電線６の長手方向Ｄ１に沿って貫通する貫通孔４１Ｂが設けられた筒状に形成されている。この貫通孔４１Ｂに、コネクタハウジング２Ｂから引き出された電線６が収容される。この貫通孔４１Ｂは、コネクタハウジング２Ｂの後端部が挿入されるハウジング挿入孔４１１Ｂと、コルゲートチューブ５が挿入されるコルゲート挿入孔４１２Ｂと、を有している。ハウジング挿入孔４１１Ｂと、コルゲート挿入孔４１２Ｂと、は互いに連結されている。ハウジング挿入孔４１１Ｂは、カバー４Ｂの前側に設けられ、前側が開口し、後側がコルゲート挿入孔４１２Ｂに連なっている。コルゲート挿入孔４１２Ｂは、カバー４Ｂの後側に設けられ、後側が開口し、前側がハウジング挿入孔４１１Ｂに連なっている。
【００２８】
カバー４Ｂには、コネクタハウジング２Ｂを係止する係止爪などの係止部（図示せず）が形成されている。ハウジング挿入孔４１１Ｂにコネクタハウジング２Ｂを挿入すると、カバー４Ｂに設けた係止部がコネクタハウジング２Ｂの係止部に係止して、固定される。コルゲート挿入孔４１２Ｂは、ハウジング挿入孔４１１Ｂより小さく設けられ、その内周面にコルゲートチューブ５の外周面に設けた第２ねじ切りＮ２に螺合する第１ねじ切りＮ１が設けられている。
【００２９】
コルゲートチューブ５は、第１実施形態と同様であるため、ここでは詳細な説明を省略する。
【００３０】
次に、上述した構成のコルゲートチューブ付きコネクタ１の組立手順について説明する。まず、カバー４Ｂのハウジング挿入孔４１１Ｂにコネクタハウジング２Ｂ後端を挿入して、カバー４Ｂをコネクタハウジング２Ｂに係止する。その後、電線６をカバー４Ｂ及びコネクタハウジング２Ｂに通した状態で、電線６の端末を端子３に接続する。その後、端子３を後ろ側に引っ張り、端子収容室２１Ｂに収容する。また、コルゲートチューブ５のスリットＳＬから電線６を内部に挿入する。次に、コルゲートチューブ５の端末をカバー４Ｂのコルゲート挿入孔４１２Ｂに挿入して第１、第２ねじ切りＮ１、Ｎ２を螺合させて、組み立て完成させる。
【００３１】
上述した実施形態によれば、カバー４Ｂをコネクタハウジング２Ｂに係止するので、コネクタハウジング２Ｂにねじ切りを設ける必要がなく、コネクタハウジング２Ｂの形状を簡素化することができる。
【００３２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
上述した第１実施形態によれば、カバー４Ａの内周面に第１ねじ切りＮ１を設け、カバー４Ａ内にコルゲートチューブ５を挿入していたが、これに限ったものではない。カバー４Ａの外周面に第１ねじ切りＮ１を設け、コルゲートチューブ５の端末にカバー４Ａを挿入して、カバー４Ａの外周面とコルゲートチューブ５の内周面とを螺合するようにしてもよい。
【００３４】
また、上述した第１実施形態によれば、取付部２３Ａの外周面に第４ねじ切りＮ４を設け、カバー４Ａの内周面に第３ねじ切りＮ３を設け、カバー４Ａ内に取付部２３Ａを挿入していたが、これに限ったものではない。取付部２３Ａの内周面に第４ねじ切りＮ４を設け、カバー４Ａの外周面に第３ねじ切りＮ３を設け、取付部２３Ａ内にカバー４Ａを挿入して、カバー４Ａの外周面と取付部２３Ａの内周面とを螺合するようにしてもよい。
【００３５】
また、上述した第１実施形態によれば、カバー４Ａにおいて第１ねじ切りＮ１、第３ねじ切りＮ３は同じ方向に設けられていたが、これに限ったものではない。例えば、第１ねじ切りＮ１は時計まわりに、第３ねじ切りＮ３は反時計まわりに設けるなど、反対方向に設けられていてもよい。これにより、カバー４Ａを回すとコネクタハウジング２Ａとコルゲートチューブ５とが互いに近づくようになる。
【００３６】
また、上述した第１実施形態によれば、カバー４Ａにおいて第１ねじ切りＮ１、第３ねじ切りＮ３は同じ大きさ、同じピッチに設けられていたが、これに限ったものではない。第１ねじ切りＮ１、第３ねじ切りＮ３は、異なる大きさ、異なるピッチに設けられていてもよい。
【００３７】
ここで、上述した本発明に係るコルゲートチューブ付きコネクタの実施形態の特徴をそれぞれ以下［１］〜［３］に簡潔に纏めて列記する。
［１］
内部に端子（３）が収容される端子収容室（２１Ａ、２１Ｂ）が形成されたコネクタハウジング（２Ａ、２Ｂ）と、
前記コネクタハウジング（２Ａ、２Ｂ）に取り付けられ、前記端子（３）に接続されて前記コネクタハウジング（２Ａ、２Ｂ）から引き出された電線（６）が収容される筒状の連結部材（４Ａ、４Ｂ）と、
前記連結部材（４Ａ、４Ｂ）に取り付けられ、前記連結部材（４Ａ、４Ｂ）から引き出された前記電線（６）が収容されるコルゲートチューブ（５）と、を備え、
前記連結部材（４Ａ、４Ｂ）に第１ねじ切り（Ｎ１）が設けられ、
前記コルゲートチューブ（５）に第２ねじ切り（Ｎ２）が設けられ、
前記連結部材（４Ａ、４Ｂ）及び前記コルゲートチューブ（５）の一方に他方を挿入して前記第１ねじ切り（Ｎ１）及び前記第２ねじ切り（Ｎ２）を螺合させることにより、前記コルゲートチューブ（５）を前記連結部材（４Ａ、４Ｂ）に取り付ける、
コルゲートチューブ付きコネクタ（１）。
［２］
［１］に記載のコルゲートチューブ付きコネクタ（１）であって、
前記コネクタハウジング（２Ａ）は、前記端子収容室（２１Ａ）が形成されたハウジング本体（２２Ａ）と、前記ハウジング本体（２２Ａ）に設けた前記電線（６）の引出口（２２１Ａ）の周縁から突出された筒状の取付部（２３Ａ）と、が一体に形成され、
前記連結部材（４Ａ）に第３ねじ切り（Ｎ３）が設けられ、
前記取付部（２３Ａ）に第４ねじ切り（Ｎ４）が設けられ、
前記連結部材（４Ａ）及び前記取付部（２３Ａ）の一方に他方を挿入して前記第３ねじ切り（Ｎ３）及び前記第４ねじ切り（Ｎ４）を螺合させることにより、前記連結部材（４Ａ）を前記コネクタハウジング（２Ａ）に取り付ける、
コルゲートチューブ付きコネクタ（１）。
［３］
［１］に記載のコルゲートチューブ付きコネクタ（１）であって、
前記連結部材（４Ｂ）は、前記コネクタハウジング（２Ｂ）に係止して取り付けられている、
コルゲートチューブ付きコネクタ（１）。
【符号の説明】
【００３８】
１  コルゲートチューブ付きコネクタ
２Ａ、２Ｂ  コネクタハウジング
３  端子
４Ａ、４Ｂ  カバー（連結部材）
５  コルゲートチューブ
６  電線
２１Ａ、２１Ｂ  端子収容室
２２Ａ  ハウジング本体
２３Ａ  取付部
２２１Ａ  引出口
Ｎ１  第１ねじ切り
Ｎ２  第２ねじ切り
Ｎ３  第３ねじ切り
Ｎ４  第４ねじ切り
【図１】
2020202073.tif 000003
【図２】
2020202073.tif 000004
【図３】
2020202073.tif 000005
【図４】
2020202073.tif 000006
【図５】
2020202073.tif 000007
【図６】
2020202073.tif 000008
【図７】
2020202073.tif 000009